(57)【要約】
【課題】使用者が形状を変えることができて、その形象の変化を目で見て楽しみながら使用できるという、極めて興趣に富んだクッションの提供を課題とする。
【解決手段】形状が互いに異なると共に、内部が互いに連通するように形成された複数の袋部が一体化された外カバー部材と、上記外カバー部材の内部に収納され、上記各袋部の間を移動することにより上記外カバー部材の外観を変化させうる粉粒状の充填部材とにより構成される。また、上記充填部材としてビーズが用いられる。
【選択図】図１
0003099294.tif 000002
【実用新案登録請求の範囲】
【請求項１】
　形状が互いに異なると共に、内部が互いに連通するように形成された複数の袋部が一体化された外カバー部材と、上記外カバー部材の内部に収納され、上記各袋部の間を移動することにより上記外カバー部材の外観を変化させうる粉粒状の充填部材とにより構成されたことを特徴とするクッション。
【請求項２】
　上記外カバー部材における一の袋部は他の袋部に収納可能な形状に形成されたことを特徴とする請求項１記載のクッション。
【請求項３】
　上記外カバー部材における一の袋部と他の袋部は、互いに関連性のある形象を有するように形成されたことを特徴とする請求項１又は２記載のクッション。
【請求項４】
　上記充填部材としてビーズが用いられたことを特徴とする請求項１、２又は３記載のクッション
【考案の詳細な説明】
【技術分野】
【０００１】
　本考案は、クッションに関する。
【背景技術】
【０００２】
　従来、外カバー部材の内部に充填部材としてビーズが収納されたクッションが、例えば、特許文献１、特許文献２、特許文献３及び特許文献４等により公知になっている。
【０００３】
　上記公知例の各クッションは、ビーズの良好な流動性によって、体形に応じて形状を変化できるという特性を有している。
【０００４】
　しかしながら、上記の各クッションは、方形状、球状、円板状等に形成され、その形状は、体形に応じて変化するだけであり、上記各クッションは、体形に馴染ませるという実用的な目的を達成するためだけに形状を変化させるものであった。
【０００５】
　したがって、上記各クッションの形状変化は、使用者に興趣を与えるものではなかった。
【特許文献１】登録実用新案第３０８１７５０号公報
【特許文献２】登録実用新案第３０２２２１８号公報
【特許文献３】特開２００３−１３５１９１号公報
【特許文献４】特開２０００−９３２６０号公報
【考案の開示】
【考案が解決しようとする課題】
【０００６】
　本考案は、使用者が形状を変えることができて、その形象の変化を目で見て楽しみながら使用できるという、極めて興趣に富んだクッションの提供を課題とする。
【課題を解決するための手段】
【０００７】
　上記課題を解決するために、本考案のクッションは、形状が互いに異なると共に、内部が互いに連通するように形成された複数の袋部が一体化された外カバー部材と、上記外カバー部材の内部に収納され、上記各袋部の間を移動することにより上記外カバー部材の外観を変化させうる粉粒状の充填部材とにより構成されたことを特徴とするものである。
【０００８】
　これにより、本考案に係るクッションにあっては、上記外カバー部材に収納した粉粒状の充填部材を上記各袋部間で移動させることにより、外カバー部材の外観形状を変化させて、その形象の多様性を目で見て楽しむという興趣が得られるものである。
【０００９】
　また、本考案のクッションは、上記外カバー部材における一の袋部が他の袋部に収納可能な形状に形成されたものとすることができる。
【００１０】
　これにより、本考案に係るクッションにあっては、一の袋部を他の袋部に収納した状態では１つの形象を有するが、一の袋部を他の袋部から外に引き出すことにより、２つの形象を有する全く異なる形状に外カバー部材を変化させることができるので、意外性があって、使用者に与える印象度が強く、使用者が感じる興趣も増大する。
　また、一の袋部を他の袋部に収納することによりコンパクトな形で保管することができる。
【００１１】
　また、本考案のクッションは、上記外カバー部材における一の袋部と他の袋部が、互いに関連性のある形象を有するように形成されたものとすることができる。
【００１２】
　これにより、本考案に係るクッションにあっては、各袋部の形象が関連性を有することにより、そこに物語性が生まれるので、使用者の想像力を刺激し、興趣が著しく増大する。
【００１３】
　また、本考案のクッションは、上記充填部材としてビーズが用いられたものとすることができる。
【００１４】
　これにより、本考案に係るクッションにあっては、ビーズの良好な流動性により、形状変化がスムースに行なわれると共に、弾力性にすぐれ、肌触りもソフトなので、頗る良好な使用感が得られる。
【考案の効果】
【００１５】
　請求項１記載の本考案のクッションは、上記外カバー部材の内部に収納された粉粒状の充填部材を上記各袋部間で移動させることにより、上記外カバー部材の形状を変化させて、その形象の多様性を目で見て楽しむという興趣が得られることになる。
　したがって、遊びにも使用できるので、特に子供等に喜ばれる。
【００１６】
　請求項２記載の本考案のクッションは、一の袋部を他の袋部に収納した状態では１つの形象を有するが、一の袋部を他の袋部から外に引き出すことにより、２つの形象を有する全く異なる形状に外カバー部材を変化させることができるので、意外性があって、使用者に与える印象度が強く、使用者が感じる興趣も増大する。
　また、一の袋部を他の袋部に収納することによりコンパクトな形で保管することができる。
【００１７】
　請求項３記載の本考案のクッションは、上記各袋部の形象が関連性を有することにより、そこに物語性が生まれるので、想像力を刺激し、興趣が著しく増大する。
【００１８】
　請求項４記載の本考案のクッションは、外カバー部材の内部に収納した充填部材をビーズとしたことにより、そのビーズの良好な流動性により、形状変化がスムースに行なわれると共に、弾力性にすぐれ、肌触りもソフトなので、頗る良好な使用感が得られる。
【考案を実施するための最良の形態】
【００１９】
　以下、添付した図面を参照して本考案の実施の形態について説明する。
　本実施の形態に係るクッション１は、図１及び図２に示すように、形状が互いに異なると共に、内部が互いに連通するように形成された複数の袋部３，４が一体化された外カバー部材２と、上記外カバー部材２の内部に収納され、上記各袋部３，４の間を移動することにより上記外カバー部材２の外観を変化させうる粉粒状の充填部材５とにより構成されている。
　そして、図３及び図４に示すように、上記外カバー部材２における一の袋部３は他の袋部４に収納可能な形状に形成されている。
　また、図１に示すように、上記外カバー部材２における一の袋部３と他の袋部４は、互いに関連性のある形象を有するように形成されている。
　そして、図２及び図４に示すように、上記充填部材５としてビーズ６が用いられている。
【実施例１】
【００２０】
　以下、図示した実施例について説明する。本実施例に係るクッション１は、図１及び図２に示すように、２体の袋部３，４が一体的に接続されて外カバー部材２が形成されている。
　なお、袋部の数を３以上に増やすことも可能である。
【００２１】
　上記外カバー部材２の各袋部３，４は、図２に示すように、互いに内部が連通するように形成されている。
【００２２】
　すなわち、図２に示すように、一方の袋部３の開口周縁部と、他方の袋部４の開口周縁部とが接続されて、一方の袋部３の内部と他方の袋部４の内部とが連通している。
【００２３】
　上記外カバー部材２の内部には，図２に示すように、充填部材５が収納されている。
【００２４】
　上記各袋部３，４の内部が、上記のように互いに連通していることにより、上記充填部材５は上記各袋部３，４の間を移動することができる。
　すなわち、一方の袋部３から他方の袋部４へ移ることも、その逆の移動も可能である。
【００２５】
　上記２体の袋部３，４は、図１に示すように、互いに形状が異なるとともに、互いに関連性のある形象を有するように形成されている。
【００２６】
　すなわち、本実施例では、図１に示すように、一方の袋部３は恐竜の赤ちゃんの形象を有するように、すなわち、胴体部８と、その胴体部８の前端から斜め上方へ突出する首部９と、その首部９の先端に形成された頭部１０と、上記胴体部８の前端下部から側方へ突出された左右の前脚部１１と、上記胴体部８の後端下部から側方へ突出された左右の後脚部１２と、上記胴体部８の後端中央部から後方へ突出された尾部１３とを有する形状に形成されている。
【００２７】
　また、他方の袋部４は、図１に示すように、上記の恐竜の赤ちゃんが生まれる恐竜の卵の形象を有するように、すなわち、卵形に形成されている。
【００２８】
　なお、各袋部３，４の形象は自由であり、上記の恐竜の赤ちゃん、及び恐竜の卵に限定されるものではない。
【００２９】
　また、上記外カバー部材２における一方の袋部３は、図３及び図４に示すように、他方の袋部４に収納可能に形成されている。
【００３０】
　すなわち、図４に示すように、上記恐竜の赤ちゃんの形象を有する袋部３が、上記恐竜の卵の形象を有する袋部４の内部に収納されるように形成されている。
【００３１】
　このとき、上記恐竜の赤ちゃんの形象を有する袋部３は、図４に示すように、内外反転した状態になって、その袋部３に収納されていた充填部材５は全て他方の袋部４へ移動する。
【００３２】
　そして、上記恐竜の赤ちゃんを象った袋部３を他方の恐竜の卵を象った袋部４の内部に収納した状態で、その他方の恐竜の卵を象った袋部４の開口部を閉じられるように、図３及び図４に示すように、その他方の袋部４における開口周縁部にはスライドファスナ７が取り付けられている。
【００３３】
　したがって、上記一方の恐竜の赤ちゃんを象った袋部３を他方の恐竜の卵を象った袋部４の内部に収納した状態で、上記スライドファスナ７を閉じれば、図３に示すように、恐竜の卵を象った袋部４だけが露呈することになる。
【００３４】
　そして、上記恐竜の赤ちゃんを象った袋部３を露呈させる場合は、上記スライドファスナ７を開いて、上記恐竜の卵を象った袋部４の開口部を開き、その内部から上記恐竜の赤ちゃんを象った袋部３を引き出せばよい。
【００３５】
　このとき、恐竜の赤ちゃんがちょうど卵から生まれたというストーリーが生まれる。したがって、使用者はそのストーリに沿って想像力を自由に遊ばせることができるという興趣が得られる。
【００３６】
　上記外カバー部材２の素材には、ソフトで肌触りが良好な素材の布が用いられている。
【００３７】
　充填部材５を上記各袋部３，４の間で移動可能とするために、上記外カバー部材２の内部には若干の空隙が形成されている。
【００３８】
　したがって、上記充填部材５は両方の袋部３，４を満杯にする量だけ外カバー部材２に収納されてはおらず、いずれか一方の袋部３，４を満杯にしても、他方の袋部は満杯にしない程度の量が外カバー部材２に収納されている。
【００３９】
　なお、図２では両方の袋部３，４がちょうど充填部材５で満杯になっているように記載されているが、空隙は他の場所に存在しているものである。
【００４０】
　上記外カバー部材２に収納される上記充填部材５にはビーズ６が使用されている。
【００４１】
　上記ビーズ６は微小な粉粒状の物質で、粒径が約０．５〜１ｍｍ程度のものを使用している。
【００４２】
　上記ビーズ６の素材は自由であるが、例えば、ポリプロピレンやポリエチレン等のポリオレフィン系合成樹脂や、ポリスチレン、ポリ塩化ビニル等の熱可塑性合成樹脂等が使用可能である。
　また、発泡させた合成樹脂素材、いわゆる発泡ビーズ、例えば発泡スチロール等のビーズを用いることも可能である。
　すなわち、これらの素材の中から任意に選択可能である。
【産業上の利用可能性】
【００４３】
　本考案は、すべてのクッションに適用可能である。
【図面の簡単な説明】
【００４４】
【図１】一方の袋部を他方の袋部の外へ突出させた状態の斜視図である。
【図２】図１のＡ−Ａ線における断面図である。
【図３】一方の袋部を他方の袋部の内部へ収納した状態の斜視図である。
【図４】図３のＢ−Ｂ線における断面図である。
【符号の説明】
【００４５】
　１　　クッション
　２　　外カバー部材
　３　　袋部
　４　　袋部
　５　　充填部材
　６　　ビーズ
　７　　スライドファスナ
　８　　胴体部
　９　　首部
１０　　頭部
１１　　前脚部
１２　　後脚部
１３　　尾部
【図１】
0003099294.tif 000003
【図２】
0003099294.tif 000004
【図３】
0003099294.tif 000005
【図４】
0003099294.tif 000006